(57)【要約】【課題】既存から排出される汚泥の流出は、営業時間が異なり不定期的で汲み取り時間を一定時間に行うことが出来ない、また排出される汚泥の種類は、業種が異なることから一定的な多様性生物（バクテリア）で処理することが出来ないため、個々の現場確認が必要である。【解決の手段】ここに現場確認をすることで多様性生物（バクテリア等）の機能性に応じた選定を行うことや、汲み取り時間を選定することで可能にした。更に本装置に設けた▲７▼バイオの宿主材に液体の培養液を吸着し、また▲１▼バイオ添加装置で培養することで継続的分解が可能となった。多様性生物の環境づくりとして設けた温度制御やエアーポンプで活性化することで多様性生物が活性化し増殖することから短期的に処理可能になった。分解時に発生する悪臭やガス類は▲６▼脱臭装置を設けアルカリ性や塩基性の多様性生物（バクテリア等）で科学構成の構造を分解することで悪臭も無く処理可能となった。【選択図】図１
2010042389.tif 000002
【特許請求の範囲】
【請求項１】
ア）水処理装置に多様性生物の棲みかとなる木炭やセラミック、または竹炭と言った炭化物を使用、またはろ過・フィルターの役割し
イ）多様性生物の増殖に適合する温度制御や酸素を送るエアーポンプを施し
ウ）更には多様性生物に必要不可欠な電光や蓋に透明な光合成が供給できる透明な材料を用いた一貫した装置を特徴とする。
【発明の詳細な説明】
【技術分野】
【０００１】本発明は、グリストラップや汲み取りトイレ等からの排水を、多様性生物を利用して汚水等を処理する装置である。
多様性生物に必要不可欠な宿主材（棲家）や酸素、光合成、温度等の環境づくりを満たした装置である。
【背景技術】
【０００２】排水や汚泥に含まれる油分や有機物の他に洗浄に使用される洗剤や殺菌消毒剤に使用されるクレゾール等の抗菌物質が含まれているが、汚泥等を処理する為には、本装置に送り込む必要がある、そうした洗浄や殺菌等の抗菌物質が含まれにくい時間帯に汲み取る方法や多様性生物が流出しないように沢山の生物を定着する為の宿主材となる炭化物を利用して多くに多様性生物の定住を作り、または抗菌物質等で死滅する可能性がある事から多様性生物を定期的に添加する装置を施した。
多様性生物に必要な温度制御や酸素を送り増殖を促すものであるが、浮遊する油分や脂肪酸等を処理するために光合成が必要で、暗の設置場所には電光を用い、南方向等の場合は、装置の天板の蓋等に透明な材料を用いた装置で実施したが毎日、汚泥を処理することが出来た。［特許文献なし］
【発明の開示】
【発明者が解決しようとする課題】
【０００３】汚泥は様々な有機物が融解しもので混在している特に、辛味成分やＮａＣｌ、酢酸、または酸化防止剤や界面活性剤等、様々なレシピが使われ目的の有機物を分解できる多様性生物が存在しても処理することが出来ない、また毎日汚泥の発生を短期的に処理するために沢山の多様性生物が必要で、しかも衛生上使用される抗菌物質の流入が含まれる中、短期的に処理する装置を開発する必要がある。
【課題を解決する為の手段】
【０００４】汚泥に含まれる有機物の量は数パーセントであるが毎日、若しくは定期的に取り除く作業が行われることで問題は解決できる但し、繁盛している店舗や原則的な法的措置である為に中々問題を解決するに至らない。
抗菌物質を含む汚泥を処理する為に本装置に汲み取る時間を営業時間中にの汚水が流出しない時間や営業終了後に汲み取りを行う方法や、抗菌物質の影響で死滅した多様性生物を補うために、多様性生物を定期的に培養液を添加する装置を用い、また多様性生物が恒久的な棲みかとなる炭化物の材料を利用して多くの多様性生物が恒久的に定着する手法が必要である。
その他に酸素や温度環境を制御するシステムや光合成を満たすことが出来ない明暗等、設置場所に応じた電光時間を制御する装置の開発を成し得た。
【発明の効果】
【０００５】多様性生物をゲノム解析した機能性領域や環境条件を熟知し生物と構造、そして制御システムを開発し、厨房から排出される汚水や汲み取り便所に設置し検証をおこなった結果、１年を経て汲み取りする事無く有機物や油分類等が分解処理された。
【発明の実施するための最良の形態】
【０００６】自治体に無償提供され住民が使用しているごみ処理機から排出される汚泥の処理や老人保健施設のグリストラップ、そして工場の汲み取り便所に設置し試験を実施した結果、悪臭も無く、また汲み取りする事無く処理されている。
【実施例】
【０００７】以下本発明を更に詳細に説明をする。
▲１５▼汚水槽（既存の汚水槽）を示すが、設置時の汲み取りは洗浄に使用される洗剤屋や床等の殺菌に使用される抗菌物質が流出しない時間帯に▲１１▼Ｐ２（汲み上げポンプ）で汚水を▲４▼１次処理層に汲み上げる、この１次処理層には▲７▼バイオ宿主材（バイオの棲みか）に多様性生物（バクテリア）が吸着されている。
多様性生物の環境条件を満し▲８▼温度制御や▲２▼エアーポンプを設け分解速度を短縮することが出来る。
▲１▼バイオ培養液添加装置でレシピに含まれる抗菌物質が存在することや、突発的に抗菌物質が流入することが予想されるために定期的に多様性生物（バクテリア等）を補填した。
汲み取り処理方法の事例として▲１１▼Ｐ２（汲み上げポンプ）で毎々汲み取りする場合と無い場合がある、厨房から排出される場合は、グリストラップが施してある為に汚泥の容積率から充分満たすため、毎々汲み取る必要が無く間欠的に充分対応できる、完結的にする目的は、生物処理であることから時間を充分必要とし、また槽の小型化で低価格が見込めるためである。
▲４▼処理槽（１次処理槽）で間欠的に処理された汚泥を▲１０▼Ｐ２（汲み上げポンプ）で▲５▼処理槽（２次処理槽）に送り込むが、汚泥の汚染の状態によっては▲５▼処理槽（次槽処理槽）を追加、設け下水道基準を満たす値まで処理を行う。
▲５▼処理槽（２次〜次槽処理槽）にも▲７▼バイオの宿主材（バイオの棲みか）にバクテリアが吸着されており、このバクテリアで分解促進を行う。
処理水は▲１４▼電１（電磁弁、ポンプ）を開放し元の▲１５▼汚水槽（既存の汚水槽）に戻す方法で、この繰り返しを行う。
汚泥が沈殿する事や油分が浮上しているため効率よく汲み上げるために、通常▲４▼処理槽（１次処理槽）▲５▼処理槽（２次〜次槽処理槽）に▲２▼ＡＰ（エアーポンプ）で酸素を供給しているが▲１１▼Ｐ２（汲み上げポンプ）で汲み上げの際、▲１３▼電２（電磁弁）を止め（ＯＦＦ）、▲１４▼電３（電磁弁）を開き（ＯＮ）エアーのバッキで▲１５▼汚水槽（既存の汚水槽）攪拌することで汚泥が混ざり合い効率よく汲み上げる事ができる。
▲６▼脱臭装置にも▲７▼バイオの宿主材（バイオの棲みか）にはアルカリ性や塩基性のバクテリアが吸着してあり、また定期的に▲１▼アルカリ性や塩基性等のバクテリアの培養液が定期的に追加され悪臭を相殺する仕組みである。
この方法を用いて実施した結果、悪臭も無く分解され、恒久的設置を頂いている。
【産業上の利用可能性】
【０００８】国内には下水道が全て完備されていない地域が多く汲み取り便所に最適で、特に食品から排出される汚泥の処理方法に限界がある事から産業用として見込める、この方法を用いて試験を行った結果、設置提供者から恒久的設置の要望や、隣国（韓国）から見学に訪問され試験希望の要望を頂いている。
【図面の簡単な説明】
【０００９】
【図１】水処理装置を示した詳細図である。
【符号の説明】
【００１０】▲１▼バイオ培養添加装置
▲２▼エアーポンプ
▲３▼エアー配管
▲４▼処理槽（１次処理槽）
▲５▼処理槽（２次〜次槽処理槽）
▲６▼脱臭装置
▲７▼バイオの宿主材（バイオの棲みか）（ろ過及びフィルター兼用式）木炭、竹炭、セラミック
▲８▼温度制御
▲９▼透明蓋及び電光照射部位
▲１０▼Ｐ１（汲み上げポンプ）
▲１１▼Ｐ２（汲み上げポンプ）
▲１２▼電１（電磁弁及びポンプ）
▲１３▼電２（電磁弁）
▲１４▼電３（電磁弁）
▲１５▼汚水槽（既存の汚水槽）を示す。
【図１】
2010042389.tif 000003